(57)【特許請求の範囲】
【請求項１】
座席（６）を備えた走行車体（１）の後に複数のフロ−ト（２７）を備えた苗植装置（２）が取り付けられ、フロ−ト（２７）は走行車体（１）の前進で後部の横軸回りに揺動しながら泥面を滑走するように設けられ、苗植装置（２）は苗載台（１５）の後で苗を取ってフロ−ト（２７）が整地した泥面に移植する構成とし、座席（６）の左右に設けた一対のタンク（２４）内のペ−スト状の肥料を散布する施肥装置を備えた田植機において、前記一対のタンク（２４）を連結する第一のパイプ（３７）内にオ−ガ（３９）を設け、予備のペ−スト状の肥料が入った柔軟な樹脂製の袋（３０）が上から入れられる枠（３１）を走行車体（１）の前部の両横に設け、枠（３１）の底に設けたモーター（３２）で縦向の軸回りに回転する第二のパイプ（３３）により前記袋３０の底面がもみほぐされる構成とした田植機。
【発明の詳細な説明】
【０００１】
【産業上の利用分野】
この発明は、乗用型の田植機に用いるものである。
【０００２】
【従来の技術】
車輪が水田の耕盤上で回転して前進する走行車体の後に苗植装置や播種装置などの作業装置が装着されて水田作業機が構成されている。その作業装置は、走行車体の前進で後部の横軸の回りに揺動しながら水田の泥面を滑走するフロートを備え、その滑走で整地された泥面に苗の移植や種子の散布を行うようになっている。
【０００３】
【発明が解決しようとする課題】
水田作業機においてペ−スト状の肥料を散布する施肥装置を備えた場合、長い時間が経過すると、前記ペ−スト状の肥料は、重いものが沈殿して上下に分離することがある。
【０００４】
【課題を解決するための手段】
この発明は、上記の課題を解決するため、座席６を備えた走行車体１の後に複数のフロ−ト２７を備えた苗植装置２が取り付けられ、フロ−ト２７は走行車体１の前進で後部の横軸回りに揺動しながら泥面を滑走するように設けられ、苗植装置２は苗載台１５の後で苗を取ってフロ−ト２７が整地した泥面に移植する構成とし、座席６の左右に設けた一対のタンク２４内のペ−スト状の肥料を散布する施肥装置を備えた田植機において、前記一対のタンク２４を連結する第一のパイプ３７内にオ−ガ３９を設け、予備のペ−スト状の肥料が入った柔軟な樹脂製の袋３０が上から入れられる枠３１を走行車体１の前部の両横に設け、枠３１の底に設けたモーター３２で縦向の軸回りに回転する第二のパイプ３３により前記袋３０の底面がもみほぐされる構成とした田植機とした。
【０００５】
【作用及び効果】
この田植機は、上記のように構成されるので、走行車体１の前進で複数のフロ−ト２７が横軸の回りに揺動しながら泥面を滑走してその表面を滑らかに整地し、この整地跡に苗の移植を行う。そして、片側のタンク２４に供給した肥料が他のタンク２４内に早く移り、かつ、分離していた肥料の成分が良く撹拌されて混合する。更に、予備のペ−スト状の肥料が入った袋３０を第二のパイプ３３の上に置くと、袋３０の底面が第二のパイプ３３の回転でもみほぐされて袋３０内で上下の層に分離したペ−スト状の肥料が混合される。
【０００６】
【実施例】
つぎに、この発明の実施例を説明する。
図１及び図２のように、走行車体１の後に苗植装置２が装着されて乗用型の田植機が構成されている。
【０００７】
走行車体１は、つぎのように構成される。機台３の前後にそれぞれ一対の前車輪４，４と後車輪５，５が設けられ、座席６の下のエンジン７（図２）で駆動されている。支柱８が機台３の後部から上に伸び、上下で一対のリンク９，９の先端がこれに回動自在に取付けられている。そのリンク９，９の後端は、上下方向の取付枠１０に回動自在に取付けられる。油圧シリンダ１１が機台３に取付けられ、これからピストンロッド１２が後上に向かって突出し、その後端が上のリンク９と一体のアーム１３の下端に接続している。そして、油圧シリンダ１１に油を送り込むと、ピストンロッド１２が突出してアーム１３とリンク９，９が反時計方向（図１）に回って取付枠１０が上昇し、油圧シリンダ１１内の油をタンクに戻すと、これらが時計方向に回って取付枠１０が下降するように出来ている。
【０００８】
苗植装置２は、つぎのように構成される。歯車箱１４が前後方向のローリング軸で左右に揺動するように取付枠１０の後方の下部に設けられている。苗載台１５がその上に前上りに配置され、８枚のマット苗を横並びに載せてエンジン７の動力で左右に往復駆動されるようになっている。４個のフロート１６ａ，１６ａ，１６ｂ，１６ｂが横並びに配置され、後部の横軸１７の回りに揺動しながら泥面を滑走するように歯車箱１４に取付けられている。４個のフロート１６ａ，１６ａ，１６ｂ，１６ｂのうち、中央部のフロート１６ａ，１６ａは、上から見て先端が一対後車輪５，５の間に入り込んでいる。また、外側のフロート１６ｂ，１６ｂは、後車輪５，５の外側に配置されている。一対の苗植杆１８，１８が１組となって苗載台１５の後で上下方向の円形軌道で旋回し、その上のマット苗を交互に欠ぎ取ってフロートが整地した泥面に移植するように出来ている。そして、マット苗と同数の８組が横並びに設けられて８条植となっている。
【０００９】
堆積防止具１９，１９が、つぎのように作られて、それぞれのフロート１６ａ，１６ａの先端部の中央よりも外側の上に固定されている。すなわち、図３〜図７のように、堆積防止具１９は、載頭円錐を左右に２分したような形で中空状に作られ、その前と横の下縁１９ａがフロート１６ａの前と横の外縁１６ｘに沿っている。下縁１９ａから斜上に伸びる面が滑り面１９ｂとなって、この上に落下した泥土がフロート１６ａの前又は横に滑り落ちるようになっている。上から見て内側の前後方向の縁の中央部が欠ぎ込まれ、その欠込部１９ｃの中間部に取付片１９ｄが一体に作られている。なお、この堆積防止具１９は、フロート１６ａ，１６ｂと同様に、ポリエチレンを用いてブロー成形法で中空に作ることができる。
【００１０】
鉄板の上下を外側と内側に折り曲げて支柱２０が作られ、その下片２０ａが座板２１を挟んでフロート１６ａの上面にボルト２２，２２で固定されている。支柱２０の上片２０ｂに取付片１９ｄがボルト２３，２３で固定され、堆積防止具１９がフロート１６ａに固定される。なお、下向の複数の突子を上片２０ｂの下面に設け、取付片１９ｄの小孔にこの突子を上から係合させて堆積防止具１９を固定することができる。
【００１１】
図１は粒状の肥料を散布する施肥装置を示しているが、これを図８以下のようなペースト状の肥料を散布する施肥装置に代えることができる。すなわち、図８のように、座席６の左右に一対のタンク２４，２４が設けられ、この中のペースト状の肥料が管４０，４０で座席６の後のサブタンク２５に送られるように出来ている。６個の螺旋式のポンプ２６，２６……がその上に前後方向に設けられ、サブタンク２５内の肥料の後向に送り出すようになっている。３個のフロート２７，２７，２７のそれぞれの両横に挿入管２８，２８……が設けられ、上記の肥料がホース２９，２９……で送られている。そのため、苗植杆１８，１８……移植した苗の横で挿入管２８，２８……の下端から泥土内にペースト状の肥料が散布される。
【００１２】
ペースト状の肥料は、図１０のように、柔軟な樹脂製の袋（容器）３０に入れられている。これは、図１１のように、長い時間が経過すると、重いものが沈澱４４して上下に分離することがある。これを防止するため、つぎのように構成する。すなわち、走行車体１の前部の両横に、上記の袋３０が上から入る枠３１が設けられている。モーター３２が枠３１の底に設けられ、パイプ３３とこれに差し込まれた棒３４が縦向の軸の回りでゆるやかに回転するように出来ている。従って、予備の肥料が入った袋３０をパイプ３３の上に置くと、タンク２４，２４の肥料が散布されている間、袋３０の底面がパイプ３３の回転でもみほぐされるようにして上下の層のものが混合される。なお、棒３４やパイプ３３が加温される構成にすると、その混合が早くなり、ペースト状の肥料の流動性が向上する。タンク２４，２４内に肥料が無くなったとき、袋３０，３０内の肥料をこれに移して用いる。枠３１，３１の上には、予備の苗を載せる補助板３５，３５が設けられる。
【００１３】
図１２のように、左右のタンク２４，２４を、上下のパイプ３６，３７で連結し、下のパイプ３７内にモータ３８で回転されるオーガ３９を設けることができる。すると、片側のタンク２４に供給した肥料が他のタンク２４内に早く移り、かつ、分離していた肥料の成分が良く攪拌されて混合する。
図１３のように、タンク２４，２４とサブタンク２５を結ぶ管４０，４０の一部を二重構造としてその中央にエンジン７のマフラー４１から出た排気ガスを通すことができる。すると、ペースト状の肥料が排気熱で加温されて流動性が向上する。
【００１４】
図１４のように、タンク２４，２４に代えて、エンジン７の上でカバー４２内にタンク４３を設けることが出来る。すると、このカバー４２内にこもったエンジン７の熱でタンク４３内の肥料が加温されてその流動性が向上する。
【図面の簡単な説明】
【図１】この発明を施した水田作業機の側面図。
【図２】その要部の平面図。
【図３】その一部の拡大した平面図。
【図４】その背面図。
【図５】その側面図。
【図６】図３のＡ−Ａ線切断端面図。
【図７】その斜面図。
【図８】他の水田作業機の平面図。
【図９】その一部の斜面図。
【図１０】その一部の斜面図。
【図１１】その一部の斜面図。
【図１２】他の水田作業機の一部の切断正面図。
【図１３】他の水田作業機の平面図。
【図１４】他の水田作業機の側面図。
【符号の説明】
１…走行車体、２…苗植装置、６…座席、１５…苗載台、２４…タンク、２７…フロ−ト、３０…袋、３１…枠、３２…モーター、３３…パイプ、３７…パイプ、３９…オ−ガ
【図１】
0003726296.tif 000002
【図２】
0003726296.tif 000003
【図３】
0003726296.tif 000004
【図４】
0003726296.tif 000005
【図５】
0003726296.tif 000006
【図６】
0003726296.tif 000007
【図７】
0003726296.tif 000008
【図８】
0003726296.tif 000009
【図９】
0003726296.tif 000010
【図１０】
0003726296.tif 000011
【図１１】
0003726296.tif 000012
【図１２】
0003726296.tif 000013
【図１３】
0003726296.tif 000014
【図１４】
0003726296.tif 000015